(57)【特許請求の範囲】
【請求項１】
記録情報を記録媒体に記録する情報記録装置において、
前記記録情報が複数に分割された部分記録情報と、予め設定した所定の順序で前記部分記録情報を再生するための、あるいは、当該再生の際に外部より与えられる条件に基づく所定の順序で再生するための再生制御情報と、を前記記録媒体に記録する記録手段を備え、
前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれることを特徴とする情報記録装置。
【請求項２】
請求項１に記載の情報記録装置において、
前記条件情報が、前記記録媒体を再生する再生装置にて予め設定された基準再生レベル情報との比較により前記部分記録情報の再生の許否が判断される再生レベルを示す情報であることを特徴とする情報記録装置。
【請求項３】
記録情報を記録媒体に記録する記録方法において、
前記記録情報が複数に分割された部分記録情報と、予め設定した所定の順序で前記部分記録情報を再生するための、あるいは、当該再生の際に外部より与えられる条件に基づく所定の順序で再生するための再生制御情報と、を前記記録媒体に記録する記録工程を含み、
前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれることを特徴とする記録方法。
【請求項４】
請求項３に記載の記録方法において、
前記条件情報が、前記記録媒体を再生する再生装置にて予め設定された基準再生レベル情報との比較により前記部分記録情報の再生の許否が判断される再生レベルを示す情報であることを特徴とする記録方法。
【請求項５】
記録情報が複数に分割された部分記録情報と、予め設定した所定の順序で前記部分記録情報を再生するための、あるいは、当該再生の際に外部より与えられる条件に基づく所定の順序で再生するための再生制御情報と、が記録され、前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれた記録媒体を再生する情報再生装置であって、
前記記録媒体から前記部分記録情報を読み取る読取手段と、
前記読み出された部分記録情報を再生する再生手段と、
前記読み出した部分記録情報に対応した前記第２条件情報を抽出する抽出手段と、
前記抽出された条件情報に基づいて分岐先となる部分記録情報の再生の許否を判断する判断手段と、
を備え、
前記読取手段は、前記判断手段により許可された部分記録情報に分岐して該当する部分記録情報の読み出しを行うことを特徴とする情報再生装置。
【請求項６】
請求項５に記載の情報再生装置において、
前記条件情報が、再生レベルを示す情報である場合に、
前記判断手段が、予め設定された基準再生レベル情報との比較により、前記部分記録情報の再生の許否を判断することを特徴とする情報再生装置。
【請求項７】
請求項６に記載の情報再生装置において、
前記読取手段が、前記判断手段の判断結果に基づいて、前記基準再生レベル情報を超えない再生レベルを有する分岐先となる前記部分記録情報を選択して分岐することを特徴とする情報再生装置。
【請求項８】
記録情報が複数に分割された部分記録情報と、予め設定した所定の順序で前記部分記録情報を再生するための、あるいは、当該再生の際に外部より与えられる条件に基づく所定の順序で再生するための再生制御情報と、が記録され、前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれた記録媒体を再生する情報再生装置であって、
前記記録媒体から前記部分記録情報を読み取る読取工程と、
前記読み出された部分記録情報を再生する再生工程と、
前記読み出した部分記録情報に対応した前記第２条件情報を抽出する抽出工程と、
前記抽出された条件情報に基づいて分岐先となる部分記録情報の再生の許否を判断する判断工程と、
を含み、
前記読取工程においては、前記判断手段により許可された部分記録情報に分岐して該当する部分記録情報の読み出しを行うことを特徴とする再生方法。
【請求項９】
請求項８に記載の再生方法において、
前記条件情報が、再生レベルを示す情報である場合に、
前記判断工程においては、予め設定された基準再生レベル情報との比較により、前記部分記録情報の再生の許否を判断することを特徴とする再生方法。
【請求項１０】
請求項９に記載の再生方法において、
前記読取工程においては、前記判断工程の判断結果に基づいて、前記基準再生レベル情報を超えない再生レベルを有する分岐先となる前記部分記録情報を選択して分岐することを特徴とする再生方法。
【発明の詳細な説明】
【技術分野】
【０００１】
本発明は、情報記録装置及び情報再生装置に関し、より詳細には、光ディスク等の記録媒体にインタラクティブな再生動作を行なわせるためのオーディオ情報及びビデオ情報を記録する情報記録装置及び記録媒体からインタラクティブな再生動作に適したオーディオ情報及びビデオ情報を再生する情報再生装置に関する。
【背景技術】
【０００２】
従来より、光ディスクやビデオテープ等の記録媒体にオーディオ情報やビデオ情報を記録することが一般的に行なわれている。
【０００３】
これらの記録媒体に記録する情報は、従来、アナログ信号を用いて記録されていたが、最近では、信号（音質、画質）の劣化が少ない、コンピュータ等における取扱いが容易である等の理由によりディジタル信号を用いて記録する方法が一般化しつつある。
【０００４】
このディジタル信号を記録する記録媒体としての光ディスクは、ランダムアクセスが可能であるため、映像・音声を問わずあらゆる情報の記録媒体に使用されている。
【０００５】
また、光ディスクは記録容量が大きく、主情報の他に多くの付加情報を記録することが可能であるため、付加情報を用いて特殊再生に用いることが多い。ところで、特殊再生のうち、通常の連続再生や検索を行う場合に所定の記録領域の再生を意図的に禁止するものがある。
【０００６】
意図的に再生を禁止する特殊再生の例として、ユーザとメディアとの間で双方向の情報交換を行うインタラクティブ再生（対話型再生）が挙げられる。例えば、教育用のインタラクティブ再生においては、「問題」の部分のみを再生し、ユーザが「問題」に答えるための特定の操作を行わない限り、「解答」の部分の情報再生を禁止している。
【０００７】
このインタラクティブ再生に要求される機能としては、
例えば、
１）  メディア製作者が意図した複数の筋書（再生順序）に沿って、キー入力等のユーザインターフェースで指定される筋書に分岐が可能である。
２）  ある映像フレームで自動的に静止画再生状態とすることができる。
３）  ある映像区間を自動的にリピート再生（繰り返し再生）することができる。
４）  静止画再生時間あるいはリピート再生時間をメディア製作者が任意に指定することができる。
５）  複数の筋書を任意に選択可能な場合において、再生装置側でランダムに分岐先を決定することができる。
６）  複数の筋書を所定の規則によって選択可能な場合において、再生装置側で自動的に分岐先を設定できる。
等が挙げられる。
【発明の開示】
【発明が解決しようとする課題】
【０００８】
上記従来のインタラクティブ再生に要求される機能を実現する手法としては、再生手順をコンピュータ言語に近いスクリプト形式で記述する手法がある。
【０００９】
このスクリプト形式で再生手順を光ディスクに記録しようとすると、再生装置側の再生手順記憶のためのメモリ容量が大きくなり、特に主情報として実写の動画映像と高品質な音声を記録した場合等のように、主情報自体の記録容量が大きい場合には、再生手順を記憶するための容量が大きくなり、再生装置が和のメモリの記憶容量が制限されている場合には、あまり複雑な再生手順を記録することができないという問題点があった。
【００１０】
また、逆に複雑な再生手順を用いて、再生を行なわせるためには、再生装置側のメモリ容量を大きくする必要があり、コストが上昇してしまうという問題点があった。
【００１１】
そこで、本発明の目的は、インタラクティブ再生に要求される機能を再生装置側の負担を増加させることなく実現可能な情報記録装置及び情報再生装置を提供することにある。
【課題を解決するための手段】
【００１２】
上記課題を解決するため、請求項１記載の発明は、記録情報を記録媒体に記録する情報記録装置において、前記記録情報が複数に分割された部分記録情報と、予め設定した所定の順序で前記部分記録情報を再生するための、あるいは、当該再生の際に外部より与えられる条件に基づく所定の順序で再生するための再生制御情報と、を前記記録媒体に記録する記録手段を備え、前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれる。
【００１３】
また、請求項３に記載の発明は、記録情報を記録媒体に記録する記録方法において、前記記録情報が複数に分割された部分記録情報と、予め設定した所定の順序で前記部分記録情報を再生するための、あるいは、当該再生の際に外部より与えられる条件に基づく所定の順序で再生するための再生制御情報と、を前記記録媒体に記録する記録工程を含み、前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれる。
【００１４】
また、請求項５に記載の発明は、記録情報が複数に分割された部分記録情報と、予め設定した所定の順序で前記部分記録情報を再生するための、あるいは、当該再生の際に外部より与えられる条件に基づく所定の順序で再生するための再生制御情報と、が記録され、前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれた記録媒体を再生する情報再生装置であって、前記記録媒体から前記部分記録情報を読み取る読取手段と、前記読み出された部分記録情報を再生する再生手段と、前記読み出した部分記録情報に対応した前記第２条件情報を抽出する抽出手段と、前記抽出された条件情報に基づいて分岐先となる部分記録情報の再生の許否を判断する判断手段と、を備え、前記読取手段は、前記判断手段により許可された部分記録情報に分岐して該当する部分記録情報の読み出しを行う。
【００１５】
また、請求項８に記載の発明は、記録情報が複数に分割された部分記録情報と、予め設定した所定の順序で前記部分記録情報を再生するための、あるいは、当該再生の際に外部より与えられる条件に基づく所定の順序で再生するための再生制御情報と、が記録され、前記再生制御情報には、各前記部分記録情報の再生が許可される対象を設定するための再生条件を示す第１条件情報と、一の前記部分記録情報から分岐すべき一または複数の部分記録情報を特定するための分岐先情報と、当該分岐先の部分記録情報の再生が許可される対象を設定するための再生条件を示す第２条件情報と、が含まれた記録媒体を再生する情報再生装置であって、前記記録媒体から前記部分記録情報を読み取る読取工程と、前記読み出された部分記録情報を再生する再生工程と、前記読み出した部分記録情報に対応した前記第２条件情報を抽出する抽出工程と、前記抽出された条件情報に基づいて分岐先となる部分記録情報の再生の許否を判断する判断工程と、を含み、前記読取工程においては、前記判断手段により許可された部分記録情報に分岐して該当する部分記録情報の読み出しを行う。
【発明を実施するための最良の形態】
【００５４】
次に本発明の好適な実施例を図面を参照して説明する。
【００５５】
（Ｉ）情報記録装置
図１に、本実施例の情報記録装置の構成図を示す。
【００５６】
情報記録装置１００は、記録すべき音声情報や映像情報等の記録情報を記録した磁気テープを再生してタイムコードＴT 、映像信号ＳV 及び音声信号ＳA を出力するＶＴＲ１と、ＶＴＲ１から出力された映像信号ＳV 及び音声信号ＳA をＡ／Ｄ変換した後、ＭＰＥＧ方式によりＧＯＰ（Group Of Pictures ）毎に圧縮処理し、パケット単位で時間軸多重して圧縮多重データＳR として出力するとともに、ＶＴＲ１から出力される上記記録情報に対応したタイムコードＴT 及び磁気テープに記録された記録情報をその素材内容毎の部分記録情報に予め区分し、それぞれの部分記録情報に対応するキューデータＤQ 及びタイムコードＴT に基づき、各部分記録情報毎の当該部分記録情報を再生した場合の再生時間及び各部分記録情報の記録情報中における部分記録情報開始アドレスを検出して素材内容情報データＤACを出力する信号処理部３と、圧縮多重データＳR を一時的に記憶するハードディスク装置４と、素材内容情報データＤACを一時的に記録するフレキシブルディスク（ＦＤ）装置５と、情報記録装置Ｓ1 全体の制御を行うとともに、ハードディスク装置４から読み出された圧縮多重データＳR 並びにＦＤ装置５から読み出された素材内容データＤACに基づき、各種付加情報データＳADを出力するとともに、後述する変調部８に出力すべきデータとして多重圧縮データＳR あるいは付加情報データＳADのいずれかを選択するための情報選択信号ＳSWを出力するコントローラ６と、情報選択信号ＳSWに基づいて多重圧縮データＳR あるいは付加情報データＳADのいずれか一方を選択して、情報付加圧縮多重データＳRAD として出力する切換部７と、情報付加圧縮多重データＳRAD に対しリードソロモン符号等のエラー訂正コード（ＥＣＣ）の付加及び８−１５変調等の変調を施して変調信号ＳMDとして出力する変調部８と、変調信号ＳMDに基づいて図示しないマスタディスクを作成するマスタリング装置９と、を備えて構成されている。
【００５７】
ここで、付加情報データＳADについて説明する。一つの素材（映像信号ＳV 及び音声信号ＳA ）に対応する記録情報は、その素材内容毎部分記録情報に予め区分でき、それぞれの部分記録情報に対応づけて付加情報データＳADを構成する。
【００５８】
付加情報データＳADは、大別すると図２に示すように、部分記録情報の数である分割単位数データ（＝ｎ）２０と、各部分記録情報に対応する分割単位毎の先頭アドレスを表す先頭アドレスデータから構成される先頭アドレスデータ群２１と、各部分記録情報に対応する分割単位毎のサイズを表すサイズデータから構成されるサイズデータ群２２と、各部分記録情報に対応する分割単位毎に当該分割単位の再生レベル、すなわち、子供向け、成人向け等の再生を許可すべき対象（レベル）を設定するための再生レベルデータから構成される再生レベルデータ群２３と、各部分記録情報に対応する分割単位の再生制御を行なうための再生コントロールデータ２４-1〜２４-nから構成される再生コントロールデータ群２４と、を備えて構成されている。
【００５９】
再生コントロールデータ群２４を構成する再生コントロールデータ２４-X（Ｘ＝１〜ｎ）は、図３に示すように当該再生コントロールデータ２４-Xに接続（連続して再生）することが可能な他の部分記録情報（＝分割単位）の数（接続可能分割単位数ｍ）を表す接続可能分割単位数データ３０と、当該再生コントロールデータ２４-Xに対応する部分記録情報の再生制御を行なうための再生制御情報データ３１と、当該再生コントロールデータ２４-Xに接続することが可能な他の部分記録情報の再生レベル及び当該他の部分記録情報を特定するための番号を表す接続部分記録情報データ３２-1〜３２-nから構成される接続部分記録情報データ群３２と、を備えて構成されている。
【００６０】
ここで、再生制御情報データ３１について説明する。再生制御情報データ３１は、ビットｂ2 〜ビットｂ0 の３ビットで構成される３ビット制御情報データ及び静止・リピート時間情報データを備えて構成されている。
【００６１】
まず、３ビット制御情報データについて図４を参照して説明する。３ビット制御情報データの第１ビットｂ2 は、ユーザの選択に基づいて他の部分記録情報に分岐するのか、あるいは、再生装置の判別により他の部分記録情報に分岐するのかを制御するための分岐形態設定フラグであり、例えば、第１ビットｂ2 ＝１とすることにより再生装置の判別により他の部分記録情報に分岐するものとする。
【００６２】
第２ビットｂ1 と第３ビットｂ0 は、第１ビットｂ2 の値によりその意味が異なるので、第１ビットｂ2 の値毎に説明する。
【００６３】
ａ）  第１ビットｂ2 ＝０（ユーザの選択により分岐）の場合
・第２ビットｂ1 は、再生中の部分記録情報（再生中の分割単位）の再生が終了した後に、静止画再生状態とするか、リピート再生状態とするかを制御するための再生形態設定フラグであり、例えば、第２ビットｂ1 ＝１でリピート再生状態とする。
・第３ビットｂ0 は、部分記録情報（分割単位）を再生中に所定のキー入力があった場合に直ちに応答して分岐先の部分記録情報の再生に分岐するのか、当該部分記録情報の再生終了後に分岐先の部分記録情報の再生に分岐するのかを制御するための分岐条件設定フラグであり、例えば、第３ビットｂ0 ＝１で直ちに分岐する。
【００６４】
ｂ）  第１ビットｂ2 ＝１（再生装置の判別により分岐）の場合この場合には、第２ビットｂ1 及び第３ビットｂ3 の組合わせにより分岐状態が異なる。
・第２ビットｂ1 ＝０、かつ、第３ビットｂ0 ＝０の場合。
本実施例では、予約状態となっており、使用していない。
・第２ビットｂ1 ＝０、かつ、第３ビットｂ0 ＝１の場合。
本実施例では、予約状態となっており、使用していない。
・第２ビットｂ1 ＝１、かつ、第３ビットｂ0 ＝０の場合。
キー入力を受け付けず、静止画再生動作及びリピート再生動作には移行せずに、当該部分記録情報の再生終了後（分割単位の最後）に分岐可能な他の部分記録情報にランダムに分岐する。
・第２ビットｂ1 ＝１、かつ、第３ビットｂ0 ＝１の場合。
キー入力を受け付けず、静止画再生動作及びリピート再生動作には移行せずに、当該部分記録情報の再生終了後（分割単位の最後）に分岐可能な他の部分記録情報のうち、最大の再生レベル（許可範囲が最も広い）を有する他の部分記録情報に分岐する。
【００６５】
静止・リピート時間情報データは、３ビット制御情報データの第１ビットｂ2 ＝０の場合に、キー入力待ち状態で静止画再生動作あるいはリピート再生動作を行なう時間を設定するためのデータであり、静止・リピート時間情報データで示される時間内にキー入力が行なわれなかった場合、あるいは、正規のキー入力が行なわれなかった場合には、予め設定（デフォルト）の他の部分記録情報（分割単位）に分岐する。この場合において、予め設定の他の部分記録情報としては、例えば、付加情報データＳADの最初に記述されている部分記録情報（分割単位１）であるものとする。
【００６６】
より具体的な静止・リピート時間情報データＴの設定としては、静止・リピート時間情報データＴを８ビットとすると、
・０≦Ｔ≦６０の場合
静止画再生時間あるいはリピート再生時間をＴ［秒］とする。
・６０＜Ｔ≦２５４の場合
静止画再生時間あるいはリピート再生時間をＴＴとすると、
ＴＴ＝（ｔ−６０）×１０＋６０［秒］
とする。
・Ｔ＝２５５の場合
キー入力があるまで静止画再生あるいはリピート再生を行なう。すなわち、
ＴＴ＝∞
とする。
【００６７】
上述した付加情報データＳADは、図５に示すように、光ディスクの最内周が和の付加情報領域に記録される。次に情報記録装置１００の動作を説明する。
【００６８】
ＶＴＲ１が記録すべき音声情報や映像情報等の記録情報を記録した磁気テープを再生してタイムコードＴT 、映像信号ＳV 及び音声信号ＳA を出力すると、信号処理部３はＶＴ１から出力された映像信号ＳV 及び音声信号ＳA をＡ／Ｄ変換した後、ＭＰＥＧ方式によＧＯＰ（Group Of Pictures ）毎に圧縮処理し、パケット単位で時間軸多重して圧縮多重データＳR としてハードディスク装置４に出力するとともに、ＶＴＲ１から出力される上記記録情報に対応したタイムコードＴT 及び磁気テープに記録された記録情報をその素材内容毎の部分記録情報に予め区分し、それぞれの部分記録情報に対応するキューデータＤQ 及びタイムコードＴT に基づき、各部分記録情報毎の当該部分記録情報を再生した場合の再生時間及び各部分記録情報の記録情報中における部分記録情報開始アドレスを検出して素材内容情報データＤACをフレキシブルディスク装置５に出力する。
【００６９】
ハードディスク装置４に記憶された圧縮多重データＳR は、コントローラ６の制御下で圧縮多重データＳR を切換部７に出力される。また、フレキシブルディスク装置５は、素材内容情報データＤACを一時的にフレキシブルディスクに記録し、コントローラ６の制御下で素材内容情報データＤACをコントローラ６に出力する。
【００７０】
圧縮多重データＳR 及び素材内容情報データＤACの出力と並行して、コントローラ６は、圧縮多重データＳR 並びに素材内容情報データＤACに基づき、付加情報データＳADを切換部７に出力するとともに、変調部８に出力すべきデータとして多重圧縮データＳR あるいは付加情報データＳADのいずれかを選択するための情報選択信号ＳSWを切換部７に出力する。
【００７１】
これにより切換部７は、情報選択信号ＳSWに基づいて多重圧縮データＳR あるいは付加情報データＳADのいずれか一方を選択して、情報付加圧縮多重データＳRAD として変調部８に出力する。
【００７２】
変調部８は、情報付加圧縮多重データＳRAD に対しリードソロモン符号等のエラー訂正コード（ＥＣＣ）の付加及び８−１５変調等の変調を施して変調信号ＳMDとしてマスタリング装置９に出力する。
【００７３】
マスタリング装置９は、変調信号ＳMDに基づいて図示しないマスタディスクを作成する。このようにして、マスタリングされたマスタディスクには、付加情報データＳADが最内周部に記録されており、このマスタディスクを用いて図示しないレプリケーション装置により付加情報データＳADが最内周部に記録されたレプリカディスクが製造される。
【００７４】
（ＩＩ） 情報再生装置
次に情報再生装置の構成について図６を参照して説明する。
【００７５】
情報再生装置２００は、付加情報データＳADが記録された光ディスクの記録情報を読み取り、読取信号ＳRDとして出力する光ピックアップ４０と、読取信号ＳRDを一定のスレッショルド（閾値）によって２値化して２値信号ＳB として出力する２値化器４１と、２値信号ＳB に対して復調及びエラー訂正を行い、復調信号ＳL として出力するとともに、２値信号ＳB から付加情報データＳADを抽出して後述のコントローラに出力する復調器４２と、復調信号ＳL に対してＭＰＥＧ方式に基づく伸張処理を行い、Ｄ／Ａ変換して出力映像信号ＳVO及び出力音声信号ＳAOとして出力する信号処理部４３と、２値信号ＳB からクロック成分を検出し、検出クロック信号ＣＬＫP として出力するクロック成分検出器４４と、検出クロック信号ＣＬＫP と後述の発振器４７からの基準クロック信号ＣＬＫとを位相比較して比較信号とし、当該比較信号から高域成分を除去し、スピンドルモータ４６の回転数制御信号ＳSPとして出力するＬＰＦ（Low Pass Filter ）を含む位相比較器４５と、回転数制御信号ＳSPに基づく回転数制御の下、光ディスクを回転するスピンドルモータ４６と、情報再生装置２００を構成する各部材相互間のタイミング同期を取るための基準クロック信号ＣＬＫを出力する発振器４７と、情報再生装置２００全体の制御を行うとともに、付加情報データＳADに基づいて再生制御を行なうとともに、再生位置に対応する部分記録情報を再生するためのスピンドル制御信号ＳE 、信号出力制御信号ＳDS、スライダ制御信号ＳX 及び静止画再生あるいはリピート再生を行なわせるための再生制御信号ＳCCを出力するコントローラ４８と、を備えて構成されている。
【００７６】
次に再生動作について説明する。コントローラ４８は、図示しないリモートコントロール装置等の操作機器から再生開始の命令が入力されると、スピンドル制御信号ＳE を出力し、スピンドルモータ４６を駆動して、光ディスクを回転駆動し、再生を開始する。
【００７７】
つづいて、スライダ制御信号ＳX を光ピックアップ４０に出力し、所定の読取位置に移送するとともに、光ディスクの記録情報を読み取らせ、読取信号ＳRDとして２値化器４１に出力させる。
【００７８】
２値化器４１は、出力読取信号ＳRDを一定のスレッショルド（閾値）によって２値化して２値信号ＳB として復調器４２及びクロック成分検出器４４に出力する。
【００７９】
これにより、復調器４２は２値信号ＳB に対して復調及びエラー訂正を行い、復調信号ＳL として信号処理部４３に出力するとともに、２値信号ＳB から付加情報データＳADを抽出してコントローラ４８に出力する。
【００８０】
これと並行して、クロック成分検出器４４は、２値信号ＳB からクロック成分を検出し、検出クロック信号ＣＬＫP として出力し、位相比較器は検出クロック信号ＣＬＫP と後述の発振器４７からの基準クロック信号ＣＬＫとを位相比較して比較信号とし、当該比較信号から高域成分を除去し、スピンドルモータ４６の回転数制御信号ＳSPとしてスピンドルモータ４６に出力する。
【００８１】
コントローラ４８は、記録情報の再生を行なわせるとともに、入力された付加情報データＳAD及び現在再生中の記録情報のアドレスから、現在の再生位置がどの部分記録情報（分割単位）に対応するものかを判別する。
【００８２】
そして、図３に示す現在再生している部分記録情報に対応する再生コントロールデータ２４-Xの再生制御情報データ３１から当該部分記録情報の再生方法を判別する。
【００８３】
ａ）  ３ビット制御情報を構成する第１ビットｂ2 ＝０、第２ビットｂ1 ＝０、第３ビットｂ0 ＝０の場合。
ユーザのキー入力を待ち、キー入力があれば、再生中の部分記録情報（分割単位）の最後まで再生を継続し、再生終了後、入力されたキーに対応する分岐先の部分記録情報に分岐する。
【００８４】
この場合において、キー入力待ち中に、当該部分記録情報の最後まで再生してしまった場合には、再生制御信号ＳCCにより静止画再生動作に移行し、さらにキー入力待ち状態となる。
【００８５】
その後、静止・リピート時間情報データで示される時間内にキー入力が行なわれた場合には、入力されたキーに対応する分岐先に分岐する。また、静止・リピート時間情報データで示される時間内にキー入力が行なわれなかった場合、あるいは、正規のキー入力が行なわれなかった場合には、予め設定（デフォルト）の他の部分記録情報（分割単位）に分岐する。
【００８６】
ｂ）  ３ビット制御情報を構成する第１ビットｂ2 ＝０、第２ビットｂ1 ＝０、第３ビットｂ0 ＝１の場合。
ユーザのキー入力を待ち、キー入力があれば、直ちに入力されたキーに対応する分岐先の部分記録情報に分岐する。
【００８７】
この場合において、キー入力待ち中に、当該部分記録情報の最後まで再生してしまった場合には、再生制御信号ＳCCにより静止画再生動作に移行し、さらにキー入力待ち状態となる。
【００８８】
その後、静止・リピート時間情報データで示される時間内にキー入力が行なわれた場合には、入力されたキーに対応する分岐先に分岐する。また、静止・リピート時間情報データで示される時間内にキー入力が行なわれなかった場合、あるいは、正規のキー入力が行なわれなかった場合には、予め設定（デフォルト）の他の部分記録情報（分割単位）に分岐する。
【００８９】
ｃ）  ３ビット制御情報を構成する第１ビットｂ2 ＝０、第２ビットｂ1 ＝１、第３ビットｂ0 ＝０の場合。
ユーザのキー入力を待ち、キー入力があれば、再生中の部分記録情報（分割単位）の最後まで再生を継続し、再生終了後、入力されたキーに対応する分岐先の部分記録情報に分岐する。
【００９０】
この場合において、キー入力待ち中に、当該部分記録情報の最後まで再生してしまった場合には、再生制御信号ＳCCにより部分記録情報のリピート再生動作に移行し、さらにキー入力待ち状態となる。
【００９１】
その後、静止・リピート時間情報データで示される時間内にキー入力が行なわれた場合には、入力されたキーに対応する分岐先に分岐する。また、静止・リピート時間情報データで示される時間内にキー入力が行なわれなかった場合、あるいは、正規のキー入力が行なわれなかった場合には、予め設定（デフォルト）の他の部分記録情報（分割単位）に分岐する。
【００９２】
ｄ）  ３ビット制御情報を構成する第１ビットｂ2 ＝０、第２ビットｂ1 ＝１、第３ビットｂ0 ＝１の場合。
ユーザのキー入力を待ち、キー入力があれば、直ちに入力されたキーに対応する分岐先の部分記録情報に分岐する。
【００９３】
この場合において、キー入力待ち中に、当該部分記録情報の最後まで再生してしまった場合には、再生制御信号ＳCCにより部分記録情報のリピート再生動作に移行し、さらにキー入力待ち状態となる。
【００９４】
その後、静止・リピート時間情報データで示される時間内にキー入力が行なわれた場合には、入力されたキーに対応する分岐先に分岐する。また、静止・リピート時間情報データで示される時間内にキー入力が行なわれなかった場合、あるいは、正規のキー入力が行なわれなかった場合には、予め設定（デフォルト）の他の部分記録情報（分割単位）に分岐する。
【００９５】
ｅ）  ３ビット制御情報を構成する第１ビットｂ2 ＝１、第２ビットｂ1 ＝０、第３ビットｂ0 ＝０の場合、あるいは、第１ビットｂ2 ＝１、第２ビットｂ1  ＝０、第３ビットｂ0 ＝１の場合。
再生方法が決められていないため、光ディスクをリジェクト（排出）して、当該光ディスクが再生できない旨を図示しない表示画面に表示するとともに、コンントローラ４８は新しい光ディスクがローディング（装着）されるまで待機状態となる。
【００９６】
ｆ）  ３ビット制御情報を構成する第１ビットｂ2 ＝１、第２ビットｂ1 ＝１、第３ビットｂ0 ＝０の場合。
再生中の部分記録情報（分割単位）の最後まで再生を継続し、再生終了後、分岐可能な部分記録情報（分割単位）の中からランダムに分岐先を設定し、分岐する。
【００９７】
ｇ）  ３ビット制御情報を構成する第１ビットｂ2 ＝１、第２ビットｂ1 ＝１、第３ビットｂ0 ＝１の場合。
再生中の部分記録情報（分割単位）の最後まで再生を継続し、再生終了後、分岐可能な部分記録情報（分割単位）の中から予め指定された再生レベルを超えない最大レベルの再生レベルを有する部分記録情報（分割単位）を選択し、分岐する。
【００９８】
その後、上記ａ）〜ｇ）と同様の動作を繰り返し、再生すべき最後の部分記録情報（分割単位）、すなわち、分割単位数データ２０＝０の部分記録情報の再生が終了した時点で、スライダ制御信号ＳX により光ピックアップ４０を最内周側の待機位置に戻して再生動作を終了する。
【００９９】
以上の説明のように、本実施例によれば、付加情報データＳADに基づいてインタラクティブな再生動作を制御することができ、再生装置側のメモリの記憶容量が小さい場合でも、容易にメディア製作者の意図に沿った複雑な再生制御を行なわせることができる。
【図面の簡単な説明】
【０１００】
【図１】実施例の情報記録装置の概要構成ブロック図である。
【図２】付加情報データの説明図である。
【図３】再生コントロールデータの説明図である。
【図４】３ビット制御情報の説明図である。
【図５】光ディスクの情報記録状態の説明図である。
【図６】実施例の情報再生装置の概要構成ブロック図である。
【符号の説明】
【０１０１】
１００…情報記録装置
１…ＶＴＲ
３…信号処理部３
４…ハードディスク装置４
５…フレキシブルディスク（ＦＤ）装置
６…コントローラ
７…切換部
８…変調部
９…マスタリング装置
２０…分割単位数データ
２１…先頭アドレスデータ群
２２…サイズデータ群
２３…再生レベルデータ群
２４-1〜２４-n…再生コントロールデータ
２４…再生コントロールデータ群
３０…接続可能分割単位数データ
３１…再生制御情報データ
３２-1〜３２-n…接続部分記録情報データ
３２…接続部分記録情報データ群
２００…情報再生装置
４０…光ピックアップ
４１…２値化器
４２…復調器
４３…信号処理部
４４…クロック成分検出器
４５…位相比較器
４６…スピンドルモータ
４７…発振器
４８…コントローラ
ＣＬＫP …検出クロック信号
ＣＬＫ…基準クロック信号
ＤQ …キューデータ
ＤAC…素材内容情報データ
ＳSW…情報選択信号
ＳRAD …情報付加圧縮多重データ
ＳRD…読取信号
ＳB …２値信号
ＳL …復調信号
ＳVO…出力映像信号
ＳAO…出力音声信号
ＳSP…回転数制御信号
ＳE …スピンドル制御信号
ＳDS…信号出力制御信号
ＳX …スライダ制御信号
ＳCC…再生制御信号
ＳR …圧縮多重データ
ＳV …映像信号
ＳA …音声信号
ＳMD…変調信号
ＳAD…付加情報データ
ＴT …タイムコード
【図１】
0003949151.tif 000002
【図２】
0003949151.tif 000003
【図３】
0003949151.tif 000004
【図４】
0003949151.tif 000005
【図５】
0003949151.tif 000006
【図６】
0003949151.tif 000007